(57)【特許請求の範囲】
【請求項１】
胸部をサポートする帯状の胸部サポーターであって、
非伸縮性素材で形成され、着用時に於いて胸部を被覆する第一前身ごろ部分と、伸縮性素材で形成され、着用時に於いて背部を被覆する後身ごろ部分とからなる胸部締め付け構造体と、
伸縮性素材からなり、少なくとも当該胸部締め付け構造部分の第一前身ごろ部分を被覆する第二前身ごろ部分とからなり、
前記胸部締め付け構造体は、後身ごろ部分は帯状に形成され、その長さ方向の一端部に、同じく帯状に形成された第一前身ごろ部分が連結されており、
前記第二前身ごろ部分は帯状に形成されて、その一端部が当該胸部締め付け構造部分に連結していることを特徴とする、胸部サポーター。
【請求項２】
前記胸部締め付け構造体における長さ方向両端部には、フックアイからなり、相互に着脱自在とする第一連結具が設けられており、
一端部が前記胸部締め付け構造部分に連結している前記第二前身ごろ部分における長さ方向他端部側には、ファスナーからなり、当該胸部締め付け構造体の外周面に着脱自在な第二連結具を設けている、請求項１に記載の胸部サポーター。
【請求項３】
前記第一前身ごろ部分と前記後身ごろ部分とは、伸縮性の高い素材と、それよりも伸縮性の低い素材との２層構造であって、表地と裏地が一体化されていない袋状に形成されている、請求項１又は２に記載の胸部サポーター。
【請求項４】
前記第一前身ごろ部分と第二前身ごろ部分は帯状に形成されており、
前記第二前身ごろ部分は、前記第一前身ごろ部分よりも短く形成されている、請求項１〜３の何れか一項に記載の胸部サポーター。
【請求項５】
前記第一前身ごろ部分と第二前身ごろ部分は帯状に形成されており、
前記第二前身ごろ部分は、前記第一前身ごろ部分よりも幅広く形成されている、請求項１〜４の何れか一項に記載の胸部サポーター。
【発明の詳細な説明】
【技術分野】
【０００１】
本発明は、乳房の膨らみを抑える為の胸部サポーターに関し、特に着衣時に於ける隙間の発生やシワの発生を抑えた胸部サポーターに関する。
【背景技術】
【０００２】
従来、女性用の胸部サポーターとしては、スポーツ用ブラジャー等が知られている（例えば、特許文献１参照）。特許文献１には、胸部被覆部と背部被覆部と肩ベルト部が一体に形成されたブラジャーが記載されている。
【０００３】
また本願出願人は、先に特許文献２（特開２００８−１５０７２２号公報）において、乳房の膨らみを潰して平坦な胸を実現し、なおかつ着脱が容易である胸部サポーターを開示している。この胸部サポーターは、女性の胸部をサポートする帯状の胸部サポーターであって、内側面に、非伸縮性素材で形成され胸部を被覆する左右一対のホールド部と、伸縮性素材で形成され該左右一対のホールド部を背側において連結し背部を被覆するフレキシブル部とを有し、外側面に、伸縮性素材で形成されその外周において該ホールド部と該フレキシブル部とに連結するラウンドカバー部を有し、また該左右一対のホールド部を胸部において連結する連結部を有するものとなっている。
【先行技術文献】
【特許文献】
【０００４】
【特許文献１】特開平９−２９６３０８号公報（０００５段落）
【特許文献２】特開２００８−１５０７２２号公報
【発明の概要】
【発明が解決しようとする課題】
【０００５】
女性が和服などを着用する場合、或いは女性が仮装用衣装を着用して男装する場合等には、胸部をサポートする機能に加え、乳房の膨らみを潰して、なるべく平坦にすることが望まれる。
しかし、上記特許文献１に記載されたブラジャーでは、乳房の膨らみを潰す機能がないという問題があった。また、着脱が容易ではないという問題があった。
【０００６】
また、特許文献２の胸部サポーターは、乳房の膨らみを潰す機能を発現することができ、その目的を達成することは可能であるが、当該胸部サポーターの着用時には、その上下部分に於いて着用者の胸部等との間に隙間が生じ、また胸部サポーターにシワが生じることが危惧された。
【０００７】
そこで本発明は、乳房の膨らみを潰して平坦な胸を実現し、なおかつ着脱が容易であると共に、更に着用者にフィットして胸部との間に隙間が生じることが無く、また着用時に於いてシワが生じない胸部サポーターを提供することを課題とする。
【課題を解決するための手段】
【０００８】
上記課題を解決する為、本発明では胸部の膨らみを抑える為に締め付ける締め付け構造部と、この締め付け構造部の少なくとも前面をカバーする被覆部分とを具備する胸部サポーターを提供する。
【０００９】
即ち、本発明では、前記課題の少なくとも何れかを解決する為に、胸部をサポートする帯状の胸部サポーターであって、非伸縮性素材で形成され、着用時に於いて胸部を被覆する第一前身ごろ部分と、伸縮性素材で形成され、着用時に於いて背部を被覆する後身ごろ部分とからなる胸部締め付け構造体と、伸縮性素材からなり、少なくとも当該胸部締め付け構造部分の第一前身ごろ部分を被覆する第二前身ごろ部分とからなる胸部サポーターを提供する。
【００１０】
前記非伸縮性素材としては、伸長率０％であることが好ましい。本発明において、非伸縮性素材は、本品の幅方向において伸長率が略０％であることにより、より効率的に胸を平坦に見せることができる。また、本品の縦方向においても伸長率が略０％であることが望ましい。一方、伸縮性素材の方は、伸長率が低すぎると身体の動きに対しフレキシブル性に欠け、またこの伸縮性素材自体が皺を生じさせてしまうことが危惧される事から、長さ方向における伸縮率（ＪＩＳ Ｌ１０９６（１９９９年）の８．１４．１に記載された伸長率Ｂ法（定荷重法）に準じた伸縮率）は１００％以上、更に１５０％以上であることが望ましい。この範囲であれば、前記非伸縮性素材との組み合わせにより快適な状態で胸を平坦にみせることができ、また非伸縮性素材の皺を目立たせないようにすることができる。
【００１１】
また、上記胸部サポーターにおいて、前記胸部締め付け構造体は、後身ごろ部分は帯状に形成され、その長さ方向の一端部に、同じく帯状に形成された第一前身ごろ部分が連結されており、前記第二前身ごろ部分は帯状に形成されて、その一端部が当該胸部締め付け構造部分に連結している胸部サポーターを提供する。
【００１２】
また、上記胸部サポーターにおいて、前記第一前身ごろ部分は、着用時に於いて右側の胸部を被覆する帯状に形成された右側第一前身ごろ部分と、着用時に於いて左側の胸部を被覆する帯状に形成された左側第一前身ごろ部分とで構成されており、前記胸部締め付け構造体は、後身ごろ部分は帯状に形成され、その長さ方向の一端部には右側第一前身ごろ部分の端部が連結され、他端部には左側第一前身ごろ部分の端部が連結されている胸部サポーターを提供する。
【００１３】
また、上記胸部サポーターにおいて、前記第一前身ごろ部分と第二前身ごろ部分は帯状に形成されており、前記第二前身ごろ部分は、前記第一前身ごろ部分よりも短く形成されている胸部サポーターを提供する。
【００１４】
そして、上記胸部サポーターにおいて、前記第一前身ごろ部分と第二前身ごろ部分は帯状に形成されており、前記第二前身ごろ部分は、前記第一前身ごろ部分よりも幅広く形成されている胸部サポーターを提供する。
【発明の効果】
【００１５】
上記本発明に係る胸部サポーターにおいては、非伸縮性素材で形成され、着用時に於いて胸部を被覆する第一前身ごろ部分と、伸縮性素材で形成され、着用時に於いて背部を被覆する後身ごろ部分とからなる胸部締め付け構造体により、バストの膨らみを抑えて、より平らな状態にする事ができる。即ち、この胸部締め付け構造体により、バストトップを押さえつけ、バストトップをアンダーバストに近づけるように締め付けることができる。
【００１６】
その際、この胸部締め付け構造体でバスト（胸部）を押さえ付けているのは、非伸縮性素材で形成された第一前身ごろ部分であり、このような伸縮のない布を使用した前面の押さえつけによってバストを平たんにしていることから、バストトップとその上下にサイズの差がありすぎる時（即ち、バストの膨らみが大きい時）は、着用者の胸部と非伸縮性素材との間に隙間が生じたり、余った上下の非伸縮性素材に皺が生じる等の問題が生じる。
【００１７】
この点、本発明に係る胸部サポーターでは、第二前身ごろ部分が、少なくとも当該胸部締め付け構造部分の第一前身ごろ部分を被覆することから、胸部から浮いた第一前身ごろ部分を押さえ付け、胸部との間の空間やシワの発生を阻止することができる。即ち、本発明により、着用者にフィットして胸部との間に隙間が生じることが無く、また着用時に於いてシワが生じない胸部サポーターを実現することができる。
【００１８】
そして本発明に係る各構成部分、即ち第一前身ごろ部分、後身ごろ部分、及び第二前身ごろ部分を夫々帯状に形成する事により、胸部を一周するように装着することができ、着脱が容易な胸部サポーターとすることができる。
【図面の簡単な説明】
【００１９】
【図１】本実施の形態に係る胸部サポーターを示す（Ａ）正面図、（Ｂ）及び（Ｃ）は着用手順を示す正面略図
【図２】図１に示した胸部サポーターの着用段階を示す正面略図
【図３】本実施の形態に係る胸部サポーターの作用を示す（Ａ）斜視略図、（Ｂ）側面略図
【図４】第二前身ごろ部分の作用を示す斜視略図
【発明を実施するための形態】
【００２０】
以下、図面を参照しながら、本実施の形態に係る胸部サポーターを説明する。
【００２１】
図１〜４は１つの実施の形態に係る胸部サポーターを示しており、本実施の形態に係る胸部サポーターは、非伸縮性素材で形成され、着用時に於いて胸部を被覆する第一前身ごろ部分（Ｂ）と、伸縮性素材で形成され、着用時に於いて背部を被覆する後身ごろ部分（Ｃ）とからなる胸部締め付け構造体（１０）と、伸縮性素材からなり、少なくとも当該胸部締め付け構造部分の第一前身ごろ部分を被覆する第二前身ごろ部分（Ａ）とで構成された例を示している。
【００２２】
この実施の形態に於いて、第一前身ごろ部分（Ｂ）と後身ごろ部分（Ｃ）とは何れも帯状に形成されて、両者は長さ方向の一端部に於いて連結される事により、胸部締め付け構造体（１０）を構成している。この胸部締め付け構造体（１０）における長さ方向両端部、即ち第一前身ごろ部分（Ｂ）における後身ごろ部分（Ｃ）との連結部分の反対側端面、及び後身ごろ部分（Ｃ）における第一前身ごろ部分（Ｂ）との連結部分の反対側端面には、相互に着脱自在とする第一連結具が設けられており、本実施の形態では、特にフックアイを設けることにより、両端部同士を着脱自在に形成している。かかるフックアイ（５２）は、リング部分を有するフックアイメス（５２ａ）と、フック部分を有するフックアイオス（５２ｂ）とで１組であり、フックアイオス（５２ｂ）のフック部をフックアイメス（５２ａ）のリング部分に引っ掛けて連結するものである。フックアイ（５２）のリング部分及びフック部分は金具で、それぞれ、布地からなる台座に固着させて形成されている。本実施の形態では第一前身ごろ部分（Ｂ）の端部にフックアイメス（５２ａ）を設け、後身ごろ部分（Ｃ）の端部にフックアイオス（５２ｂ）を設けた例を示している。
【００２３】
そして、上記のように構成した胸部締め付け構造体（１０）における、後身ごろ部分（Ｃ）の長さ方向の他端部側（第一前身ごろ部分（Ｂ）が連結された側とは反対側）には、帯状に形成された第二前身ごろ部分（Ａ）の長さ方向一端部が連結されている。そして、この第二前身ごろ部分（Ａ）の長さ方向他端部側には、胸部締め付け構造体（１０）の外周面、特に望ましくは第一前身ごろ部分（Ｂ）と後身ごろ部分（Ｃ）との間の外周面との間で着脱自在な第二連結具を設けており、本実施の形態では特にファスナー（５４）を使用している。
【００２４】
以上のように形成した胸部サポーター（５０）では、着用時に於いては、図１（Ｂ）、図２及び図３に示すように、着用者の背中に後身ごろ部分（Ｃ）を当て、第一前身ごろ部分（Ｂ）を前（バスト側）にまわして第一連結具同士を連結させることにより、胸のふくらみを抑えることができる。
【００２５】
この時、当該胸部サポーター（５０）は、図３（Ａ）に示すように、膨らんでいるバストを潰すことになるが、如何に第一前身ごろ部分（Ｂ）が非伸縮性素材で形成され、これが後身ごろ部分（Ｃ）の弾力により胸部を押しつけるとしても、膨らんでいるバストを完全に潰すことは困難であり、図３（Ｂ）に示すように、膨らんでいるバストの上下方向には、第一前身ごろ部分（Ｂ）との間に隙間が生じてしまう。そしてこの隙間は、この胸部サポーター（５０）の上に着用した着衣によっては皺を生じさせてしまうことが考えられる。
【００２６】
そこで本実施の形態に係る胸部サポーター（５０）では、図１（Ｃ）及び図２に示すように、バストを締め付けた胸部締め付け構造体（１０）の、少なくとも前側、即ち第一前身ごろ部分（Ｂ）をカバーするように回し込み、その端部に形成された第二連結具により、胸部締め付け構造体（１０）と一体化する。これにより、第二前身ごろ部分（Ａ）は、締め付けた非伸縮素材（第一前身ごろ部分（Ｂ））にできたシワなどを平坦にする効果を発現することができる。
【００２７】
これにより、図４に示すように、膨らんでいるバストの上下に生じた隙間部分は、胸部に押さえ付けられ、よりフィット感を高めた状態で装着することが可能になる。即ち、凹凸のある表面を伸縮素材で締め付ける事により、より平坦にすることができる。
【００２８】
ここで、本実施の形態に係る胸部サポーター（５０）では、第二前身ごろ部分（Ａ）は、伸ばした状態で、その端部（第二連結具）が第一前身ごろ部分（Ｂ）と後身ごろ部分（Ｃ）との間に存在するように形成することから、当該第二前身ごろ部分（Ａ）は、第一前身ごろ部分（Ｂ）よりも短い長さに形成されることが望ましい。更に、この第二前身ごろ部分（Ａ）は、第一前身ごろ部分（Ｂ）の上下端部（幅方向端部）を押さえ付けるものである事を考慮すれば、当該第一前身ごろ部分（Ｂ）よりも幅広く形成されている事が望ましい。
【００２９】
以上の様な構成によれば、装着者の胸部との間に隙間が生じることなく、またシワの発生を抑えることのできる胸部サポーター（５０）が実現する。
【００３０】
特に、本実施の形態に於いては、第二前身ごろ部分（Ａ）と後身ごろ部分（Ｃ）とは、伸縮性の高い素材と、それよりも伸縮性の低い素材との２層構造として形成することができる。その際、表地と裏地が一体化されていない袋状になっている。例えば、これらの部分は、表地に伸縮性の高い第一伸縮性素材を使用し、裏地に第一伸縮性素材よりも伸縮性の低い第二伸縮性素材を使用して形成することができる。
【００３１】
本実施の形態に於いて、第二前身ごろ部分（Ａ）と後身ごろ部分（Ｃ）には、下着などに使用されている伸縮性の高いストレッチ生地を表地に使用し、裏地にはナイロン素材８３％ポリウレタン１７％のパワーネットを用いることができる。パワーネットは、たて編みのラッセル編みの素材で、ストレッチ性に優れた細かいネット状の編物である。ナイロン素材にポリウレタン弾性繊維を交編してあるので、伸びた後のキックバック性に優れている。
【００３２】
また第一前身ごろ部分（Ｂ）には、トリコット編みのポリエステル１００％の生地の裏にマーキゼット編みのポリエステル１００％の生地を接着剤で張り合わせるボンディング加工により全面接着して１枚の生地にしたものを用いることができる。トリコットは、たて編みの鎖編みの１つで、弾性に富み丈夫で、しかも緻密でフィット感のある編み地が得られる編み方である。マーキゼットは、鎖編みをベースにもう２セットの地糸を挿入糸として横方向に逆行させて連結しており、正方形の網目をもち、横伸びに強い編み方である。第一前身ごろ部分（Ｂ）は、トリコット編みの生地とマーキゼット編みの生地を、編みの方向を同じにして張り合わせて形成され、縦横いずれの方向にも伸縮性がほとんどないものである。縦方向にも横方向にも伸びないが、横方向に辺の一部を引っ張ると、引っ張った部分は、引っ張った方向へスライド移動するが、その分、反対側の辺の対応する部分も同じ方向へ移動し、生地は伸びずに変形して動き、手を放すと元に戻る。
【００３３】
以下、各素材をより具体的にするために、ＪＩＳ Ｌ１０９６（１９９９年）の８．１４．１に記載された伸長率Ｂ法（定荷重法）に準じて、各素材の伸長率を測定した。即ち、第一伸縮性素材及び第二伸縮性素材について、以下の実験を行った。なお、本明細書において、「伸長率」とは、以下の方法によって測定した伸長率をいう。
〔実験方法〕
（１）まず、試料を１０ｃｍ四方に切り出した試験片の向かい合う端部同士を棒により固定し、一端を上にして平行に吊るし、上端から下端までの長さ（Ｌ０）を測定する。
（２）次に、他端を下にして重さの無視できる糸で、初荷重として重り１ｋｇを吊るす。
（３）そのまま１分間放置し、上端から下端までの長さ（Ｌ1）を測定する。
（４）測定後、荷重を開放し、伸縮を戻すため１分間放置する。
（５）上記（２）〜（４）をあと２回繰り返して、３回のＬ1の値の平均値（Ｌ1Ａ）から伸長率Ｅｐ（％）＝（Ｌ1Ａ−Ｌ０）／Ｌ０×１００を算出した。
【００３４】
また、試験片の向きを変えて上記（１）〜（５）の実験を行い、試験片の縦方向及び横方向における伸縮率を測定した。そして第一伸縮性素材については、初荷重を１．５ｋｇ、及び２．２５ｋｇに変更して、試験片の縦方向及び横方向における伸縮率を測定した。また、第二伸縮性素材については、初荷重を１．５３ｋｇにして、試験片の縦方向及び横方向における伸縮率を測定した。その結果は以下のとおりである。
【００３５】
〔第一伸縮性素材の実験結果〕
負荷荷重          １．０ｋｇ          １．５ｋｇ          ２．２５ｋｇ
縦方向伸縮率      １６７％            ２１９％              ２６５％
横方向伸縮率        ５２％              ７３％                ９８％
【００３６】
〔第二伸縮性素材の実験結果〕
負荷荷重          １．５３ｋｇ
縦方向伸縮率        １３６％
横方向伸縮率          ６３％
【００３７】
上記のように、第一伸縮性素材及び第二伸縮性素材は、その伸縮率において異なっていても良く、この場合において望ましくは袋状に縫合される。そして、本実施の形態において、前記第二前身ごろ部分（Ａ）と後身ごろ部分（Ｃ）とは帯状に形成されている所、その長さ方向に伸縮率が高く、幅方向に伸縮率が低いようにして使用することが望ましい。
【００３８】
なお、上記実施の形態では、第二前身ごろ部分（Ａ）と後身ごろ部分（Ｃ）とを帯状に形成しているが、これらの何れか又は両方を、長さ方向に分割して右側部分及び左側部分とし、両者を着用者の前部で連結するように形成しても良い。更に、第二前身ごろ部分（Ａ）、第一前身ごろ部分（Ｂ）及び後身ごろ部分（Ｃ）は、帯状に限らず、長さ方向に沿う縁部の一部又は全部を湾曲させることもでき、各部分の全体形状は任意に形成することができる。
【産業上の利用可能性】
【００３９】
本発明にかかる胸部サポーター（５０）は、女性が和服などを着用する場合、或いは女性が仮装用衣装を着用して男装する場合等において、胸部をサポートする機能に加え、乳房の膨らみを潰して、なるべく平坦にするための下着乃至は着衣として使用することができる。
【符号の説明】
【００４０】
１０    胸部締め付け構造体
５２    フックアイ
５２ａ  フックアイメス
５２ｂ  フックアイオス
５４    ファスナー
Ａ  第二前身ごろ部分
Ｂ  第一前身ごろ部分
Ｃ  後身ごろ部分
【図１】
0005973161.tif 000002
【図２】
0005973161.tif 000003
【図３】
0005973161.tif 000004
【図４】
0005973161.tif 000005